(57)【要約】      （修正有）【課題】重複使用可能なケーブル整理器を提供する。【解決手段】１つの線材を収容、整理させる収容空間を有する枠体１１１と、枠体底面に接続する挿入接続部材１１８とを含み、挿入接続部材が径方向に２つの翼片１１８ｄを凸設する挿入接続柱１１８ｃを伸出し、挿入接続柱下方に嵌合溝１１７ｅ及び接触端１１８ｊを更に設ける線材収容部材１１と、挿入接続柱を挿入接続する挿入接続孔１１２を有し、挿入接続孔底面周縁に板材を挿入させる２つの爪片１２３を延伸し、爪片内壁にそれぞれ鉤を有する突起部を凸設する固定部材１２と、を含む。爪片間に挿入接続孔に連通し且つ翼片と接続する２つの第１位置決め溝１２４ａを形成し、爪片は、径方向に拡張され、板孔内に嵌合し、突起部に接触端を覆わせ、嵌合溝は、鉤に嵌合する。支持部材が軸方向に抜き差しされる時、接触端及び該嵌合溝は、それぞれ突起部及び該鉤から離脱し、凸縁に該第１位置決め溝の底壁をストッパとさせる。【選択図】図１
0003210141.tif 000002
【実用新案登録請求の範囲】
【請求項１】
少なくとも１つの線材を収容、整理させる収容空間を有する枠体と、該枠体底面に接続する挿入接続部材とを含み、該挿入接続部材は、底面に挿入接続柱を伸出するベースを有し、該挿入接続柱は、径方向に少なくとも二片の翼片を凸設し、各該翼片は、内壁が婁空溝に隣接する位置決め片及び該位置決め片下方に位置する凸縁を含み、且つ該挿入接続柱は、該翼片下方にそれぞれ係合溝及び接触端を設ける線材収納部材と、
軸方向に該挿入接続柱を挿入させる挿入接続孔を開設し、該挿入接続孔底面周縁に少なくとも２つの爪片を延伸し、該爪片の間に少なくとも２つの径方向に該接続孔に連通し、且つ該翼片を挿入させる第１位置決め溝を形成し、且つ該爪片内壁にそれぞれ鉤を有する突起部を凸設する固定部材と、
を含み、該挿入接続柱及び該翼片が該挿入接続孔及び該第１位置決め溝内に挿入される時、該凸縁は、該第１位置決め溝の底壁をストッパとし、且つ位置決め片の下段は、該第１位置決め溝内に位置決めされ、第１位置決め形態を形成し、該接触端が該突起部に位置する時、該爪片は、径方向に拡張し、該係合溝を該鉤に嵌合させ、且つ該位置決め片の上端は、該位置決め溝内に位置決めされ、第２位置決め形態を形成するケーブル整理器。
【請求項２】
前記枠体の左側壁は、弧形に凹陥した屈曲部により蓋片を接続し、該枠体の右側壁及び該蓋片の自由端は、嵌合機構を相対的に設け、該嵌合機構の嵌合によって、該収容空間の開口を該蓋片により密閉させる請求項１に記載のケーブル整理器。
【請求項３】
前記嵌合機構は、該蓋片の該自由端に弾性フックを凸設し、該右側壁の該自由端に嵌合ソケットを凸設し、該嵌合ソケットは、嵌合溝を開設し、該フックを該嵌合溝内に嵌合接続し、該フックは、Ｖ形又はＵ形であり、その外側にほぞフックを凸設し、該ほぞフックの自由端は、押圧部を凸設し、該嵌合ソケットの該嵌合溝上部内壁に該ほぞフックを嵌合させる嵌合ほぞを凸設し、該フックが該嵌合溝内に嵌合する時、該ほぞフックが該嵌合ほぞの下方に位置し、ロック状態を形成する請求項２に記載のケーブル整理器。
【請求項４】
前記挿入接続柱は、該翼片に相対して径方向に少なくとも２つの補助翼片を凸設し、各該補助翼片は、補助位置決め片を有し、該爪片の間に更に径方向に該挿入接続孔に連通し、且つ該補助翼片と挿入接続する少なくとも２つの第２位置決め溝を形成し、該第１位置決め形態にある時、該補助位置決め片の上段が該第２位置決め溝内に位置決めされる請求項１に記載のケーブル整理器。
【請求項５】
前記翼片及び該補助翼片の数量は、それぞれ一対であり、且つ等角対向設置を採用する請求項４に記載のケーブル整理器。
【請求項６】
前記固定部材上面に該ベースを収容させる凹溝を開設し、且つ該凹溝及び該挿入接続孔と連通し、該ベース上面の軸方向に接続柱により該枠体に接続する請求項１に記載のケーブル整理器。
【請求項７】
前記固定部材底面に固定ほぞを凸設する請求項１に記載のケーブル整理器。
【考案の詳細な説明】
【技術分野】
【０００１】
本考案は、ケーブル整理器に関し、特に、電気機器製品、例えば、ホスト基板、回路基板又は金属板に結合する線材に用いるケーブル整理器に関する。
【背景技術】
【０００２】
科学技術の急速な発展に伴い、電子機器製品、特に、ＡＶ機器又はパソコンに接続する線材、例えば、電源線、ビデオ線、音源線、同軸ケーブル、ネットワーク線、信号線等は、往々にしてＡＶ機器、例えば、液晶テレビ、液晶ディスプレイ又はパソコン殻体背面の線材として互いにからまり、無秩序で外観を損なっている。
【０００３】
事実上、電気機器製品、特に、パソコン内部には、大量の電源線及び信号線が存在し、該線材等を整理し、板材、例えば、ホスト基板、回路基板又は金属板上に整理しなければ、往々にして内部空間が互いにからまって干渉を招くことになり、発熱部材の放熱又は周辺装置の取り付けに影響を及ぼす。
【０００４】
従って、関連業者は、上記の欠陥に対して、ケーブル整理用のケーブルタイを研究開発しており、該ケーブルタイは、線材を形成する圏内に束ね、線材同士が絡まらないようにさせ、ケーブル整理の効果を得ている。従来のケーブルタイの顕著な欠陥は、固定物、例えば、殻体又は板材に取り付けることができず、線材を増減したい場合、該ケーブルタイを破壊しなければ、先に束ねられた線材を開放することができないことにある。
【０００５】
ケーブルタイが重複使用できない欠陥を有するので、関連業者は、重複使用可能なケーブル整理器を研究開発しており、該ケーブル整理器は、収容空間を有する枠形線固定部。及び該線固定部下方に設けられる結合部を含み、該線固定部は、少なくとも１つの線材を貫通設置させ、該少なくとも１つの線材を該収容空間内に収納し、ケーブル整理効果を形成する。該結合部は、該線固定部底面に接続する挿入ほぞ、及び該挿入ほぞの自由端に設けられる矢印状弾性フックを含み、該挿入ほぞは、板材、例えば、液晶テレビの殻体背面板に予め設けられる板孔内に挿入設置され、該弾性フックを利用して該底孔底面にフックされ、該ケーブル整理器を該板材上に固定接続する。
【０００６】
しかしながら、該ケーブル整理器は、ケーブル整理、固定の機能を提供するが、その顕著な欠陥は、該挿入ほぞの寸法は、該板孔より小さく、該弾性フックを該板孔に貫通し、これは、該線固定部及び該板材の間に有効な支持を得ることができず、該挿入ほぞは、該板孔内で振動を形成することができ、該ケーブル整理器にギア板材に対して揺動を発生させ、ケーブル整理効果が良好でない欠陥を招く。また、該ケーブル整理器を取り除く時は、該板材底面から該弾性フックを圧縮し、それに該板孔に縮み込ませて初めて該板材上面において、該ケーブル整理器を取り除くことができ、該ケーブル整理器の該板材に対する着脱が同一方向ではなくなり、改善の余地がある。
【先行技術文献】
【特許文献】
【０００７】
【特許文献１】特開2014-45627号公報
【考案の概要】
【考案が解決しようとする課題】
【０００８】
本考案の目的は、重複使用可能なケーブル整理器を提供することであり、且つ該ケーブル整理器及び板材、例えば、ホスト基板、回路基板又は金属板は、迅速に結合され、強固に位置決めされ、該ケーブル整理器の振動を防止することができ、線材が変位によって相互に引張又は干渉する現象を発生することを回避する。特に、該ケーブル整理器及び該板材の取り付けと取り外しは、同一方向であり、操作時の利便性を増加させる。
【課題を解決するための手段】
【０００９】
前記の目的を達成する為、本願が採用する技術手段は、ケーブル整理器を提供することであり、それは、少なくとも１つの線材を収容、整理させる収容空間を有する枠体と、該枠体底面に接続する挿入接続部材とを含み、該挿入接続部材は、底面に挿入接続柱を伸出するベースを有し、該挿入接続柱は、径方向に少なくとも二片の翼片を凸設し、各該翼片は、内壁が婁空溝に隣接する位置決め片及び該位置決め片下方に位置する凸縁を含み、且つ該挿入接続柱は、該翼片下方にそれぞれ係合溝及び接触端を設ける線材収納部材と、軸方向に該挿入接続柱を挿入させる挿入接続孔を開設し、該挿入接続孔底面周縁に少なくとも２つの爪片を延伸し、該爪片の間に少なくとも２つの径方向に該接続孔に連通し、且つ該翼片を挿入させる第１位置決め溝を形成し、且つ該爪片内壁にそれぞれ鉤を有する突起部を凸設する固定部材と、を含み、該挿入接続柱及び該翼片が該挿入接続孔及び該第１位置決め溝内に挿入される時、該凸縁は、該第１位置決め溝の底壁をストッパとし、且つ位置決め片の下段は、該第１位置決め溝内に位置決めされ、第１位置決め形態を形成し、該接触端が該突起部に位置する時、該爪片は、径方向に拡張し、該係合溝を該鉤に嵌合させ、且つ該位置決め片の上端は、該位置決め溝内に位置決めされ、第２位置決め形態を形成する。
【考案の効果】
【００１０】
本考案のケーブル整理器は、重複使用可能であり、且つ該ケーブル整理器が板材、例えば、ホスト基板、回路基板又は金属板と迅速に結合され、強固に位置決めされ、該ケーブル整理器の振動を防止することができ、線材が変位によって相互に引張又は干渉する現象を発生することを回避する。特に、該ケーブル整理器及び該板材の取り付けと取り外しは、同一方向であり、操作時の利便性を増加させる。  
【図面の簡単な説明】
【００１１】
【図１】本考案のケーブル整理器の立体分解図である。
【図２】本考案のケーブル整理器の他の視角の立体分解図であり、そのうち、表示に便利にするために爪片を除いている。
【図３】本考案のケーブル整理器の位置決め形態の立体図である。
【図４】図３のＡ−Ａ線に沿って切り取った断面図である。
【図５】図３のＢ−Ｂ線に沿って切り取った断面図である。
【図６】本考案のケーブル整理器と板材が第２位置決め形態の立体図である。
【図７】図６のＣ−Ｃ線に沿って切り取った断面図である。
【図８】図６のＤ−Ｄ線に沿って切り取った断面図である。
【図９】図６のＥ−Ｅ線に沿って切り取った断面図である。
【図１０】本考案のケーブル整理器の線材を整理した後の断面図である。
【図１１】本考案のケーブル整理器の第２実施例と線材の立体分解図である。
【考案を実施するための形態】
【００１２】
図１〜図５に示すように、本考案のケーブル整理器１は、線材収納部材１１及び該線材収納部材１１を挿入接続させる固定部材１２を含む。
【００１３】
該線材収納部材１１は、該枠体１１１内に少なくとも１つの線材、例えば、電源線又は信号線を収容、整理させる収容空間１１２を有し、該収容空間１１２一側の左側壁１１３は、孤形に凹陥する屈曲部１１４により蓋片１１５に接続する。該蓋片１１５は、該屈曲部１１４を支点とし、該枠体１１１他側の右側壁１１６へ回転及び結合し、該枠体１１１の該収容空間１１２の開口を該蓋片１１５で密閉させ、該少なくとも１つの線材を該収容空間１１２内に収容、整理させ、脱出させず、予期するケーブル整理機能を形成する。
【００１４】
該ケーブル整理器１に重複使用の機能を持たせ、従って、該蓋片１１５及び該右側壁１１６の自由端は、嵌合機構１１７を相対して設け、例えば、該蓋片１１５の該自由端は、内向きにＶ又はＵ形の弾性フック１１７ａを凸設し、該フック１１７ａの外側面に階級状ほぞフック１１７ｂを凸設し、上部活動端に押圧部117cを形成する。該枠体１１１の該右側壁１１６の該自由端は、該弾性フック１１７ａを嵌合接続させる嵌合ソケット１１７ｄを凸設し、該嵌合ソケット１１７ｄ内に軸方向に嵌合溝１１７ｅを開設し、該嵌合溝１１７ｅ上部内壁に該ほぞフック１１７ｂを嵌合させる嵌合ほぞ１１１７ｆを設け、そのうち、該嵌合ほぞ１１７ｆ上面に上ガイド斜面１１７ｇを形成し、該フック１１７ａを該嵌合溝１１７ｅ内に進入させる。
【００１５】
図１０に示すように、該蓋片１１５の該フック１１７ａが該枠体１１１の該嵌合ソケット１１７ｄへ向けて回転し当接する時、該フック１１７ａは、該上ガイド斜面１１７ｇに沿って該嵌合溝１１７ｅ内に進入し、該ほぞフック１１７ｂまで該嵌合ほぞ１１７ｆを貫通し、嵌合のロック状態を形成する。解除したい時、該押圧部１１７ｃを押圧するだけで、該ほぞフック１１７ｂを内縮させ、上向きに起こさせ、ロックを解除することができ、該フック１１７ａを該嵌合溝１１７ｅから離脱させることができる。
【００１６】
そのうち、該嵌合機構１１７の配置方式は、図面により示すものに限定せず、それは、該嵌合ソケット１１７ｄを該蓋片１１５の該自由端に設け、別途該フック１１７ａを該右側壁１１６の該自由端に凸設することもできる。
【００１７】
該枠体１１１底面に更に挿入接続部材１１８を含み、該挿入接続部材１１８は、ベース１１８ａを有し、該ベース１１８ａ上面は、軸方向に接続柱１１８ｂにより該枠体１１１底面に接続し、且つ該ベース１１８ａ底面は、軸方向に挿入接続柱１１８ｃを伸出し、該挿入接続柱１１８ｃは、径方向に少なくとも２片の翼片１１８ｄを凸設し、各該翼片１１８ｄは、弓形位置決め片１１８ｅを含み、該位置決め片１１８ｅは、該挿入接続柱１１８ｃの該固定部材１２に対する固定（第２位置決め形態）及び離脱（第１位置決め形態）時の距離を限定し、且つ該位置決め片１１８ｅ内壁は、婁空溝１１８ｆに隣接し、該位置決め片１１８ｅを径方向に伸縮する弾性をもたせる。また、該位置決め片１１８ｅ下方に凸縁１１８ｇ及び該凸縁１１８ｇ下方に位置する下ガイド斜面１１８ｈを設ける。
【００１８】
また、該挿入接続柱１１８ｃは、該対の翼片１１８ｄ下方に係合溝１１８ｉ及び接触端１１８ｊを環設し、該接触端１１８ｊの実施時、その底部は、例えば、弧形であるが、これに局限するものではない。
【００１９】
更に、該挿入接続柱１１８ｃは、径方向に少なくとも２つの補助翼片１１８ｋを凸設し、各該補助翼片１１８ｋは、弓形補助位置決め片１１８、を含み、該補助位置決め片１１８ｍは、該挿入接続柱１１８ｃの該固定部材１２に対する離脱（第１位置決め形態）時の距離を限定する。また、好適な実施例において、該翼片１１８ｄ及び該補助翼片１１８ｋの数量は、それぞれ対であり、且つ等角対向設置を採用することが好ましい。
【００２０】
該固定部材１２は、プレート体であり、その上面に該ベース１１８ａを収容可能な凹溝１２１を開設することができ、該凹溝１２１は、軸方向に該挿入接続柱１１８ｃを挿入させる挿入接続孔１２２を開設し、該挿入接続孔１２２上面に漏斗状の傾斜口１２２ａを開設することが好ましく、且つ該挿入接続孔１２２底面周縁に少なくとも２つの爪片１２３まで延伸し、該少なくとも２つの爪片１２３の間は、径方向に該挿入接続孔１２２に連通し、且つ該翼片１１８ｄ及び該補助翼片１１８ｋを挿入させる少なくとも２つの第１位置決め溝１２４ａ及び第２位置決め溝１２４ｂをそれぞれ形成する。図に示すように、該固定部材１２の挿入接続孔１２２底面は、軸方向に４つの爪片１２３及び該４つの爪片１２３の間に設ける一対の第１位置決め溝１２４ａ及び一対の第２位置決め溝１２４ｂを伸出する。
【００２１】
該爪片１２３下段は、径方向に内向きに傾斜することが好ましく、且つ内壁に弓形突起部１２３ａを凸設し、該突起部１２３ａの適当な位置、例えば、最高点に鉤１２３ｂを設ける。
【００２２】
図１及び図２を再度参照し、該線材収納部材１１及び該固定部材１２は、それぞれ射出成型後、メーカーのスタッフが該ケーブル整理器１の第１位置決め形態の工程を行うことができる。
【００２３】
図３〜図５を参照し、該ケーブル整理器１を組み立て時、メーカーのスタッフが該線材収納部材１１を掴持し、該挿入接続柱１１８ｃ、該対翼片１１８ｄ及び該対補助翼片１１８ｋをそれぞれ該挿入孔１２２、該対第１位置決め溝１２４ａ及び該対第２位置決め溝１２４ｂに位置合わせして挿入し、該対翼片１１８ｄの下ガイド斜面１１８ｈ及び該対補助翼片１１８ｋの該補助位置決め片１１８ｍ下段をそれぞれ該挿入接続孔１２２の該傾斜口１２２ａに沿って下方移動させ、それぞれ該対第１位置決め溝１２４ａ及び該対第２位置決め溝１２４ｂ内に進入させ、該翼片１１８ｄの該凸縁４１５ｃを越えさせ、該対第１位置決め溝１２４ａの底壁を上向きに引っ張るストッパとし、且つ該対翼片１１８ｄの位置決め片１１８ｅの下段を位置決めし、例えば、該対第１位置決め溝１２４ａ内に弾性当接する（図４参照）。該対補助翼片１１８ｋの補助位置決め片１１８ｍの上段は、位置決めされ、例えば、該対第２位置決め溝１２４ｂ内に弾性当接し（図５参照）、該線材収納部材１１及び該固定部材１２に離脱不可能な第１位置決め形態を形成させる。
【００２４】
そのうち、該対補助翼片１１８ｋが該対第２位置決め溝１２４ｂ内に設置される利点は、該対翼片１１８ｄが垂直方向に発生し得る振動を回避し、該線材収納部材１１及び該固定部材１２が該第１位置決め形態に結合する安定性を確保することにある。
【００２５】
図６〜図９を参照し、組み立て工場が該第１位置決め形態にある該ケーブル整理器１を取得し、組み立てを行う時、組み立て工場のスタッフが該ケーブル整理器１を掴持し、底部を円柱形の該爪片１２３を板材２の板孔２１に位置合わせして挿入する。
【００２６】
続いて、組み立てスタッフが該線材収納部材１１を押圧し、該挿入接続柱１１８ｃを該挿入接続孔１２２下方へ移動させ、該挿入接続柱１１８ｃ底部の該接触端１１８ｊが該爪片１２３内壁の突起部１２３ａに位置する時、該爪片１２３は、径方向に拡張し、該突起部１２３ａに該接触端１１８ｊを覆わせ、該挿入接続柱１１８ｃの該嵌合溝１１８ｊを該爪片１２３の各該鉤１２３ｂにフックさせ、該固定部材１２を該板材２の該板孔２１内に嵌合させ（図８参照）、該対翼片１１８ｄの各該位置決め片１１８ｅの上段を位置決めし、例えば、該対第１位置決め溝１２４ａ内に弾性当接し（図７参照）、該ケーブル整理器１に拡張形式の第２位置決め形態を形成させる。
【００２７】
図１０を参照し、該ケーブル整理器が線材を挟持し、位置決めする時、整理したい該少なくとも１つの線材３、例えば、電源線、信号線等を該枠体１１１の該収容空間１１２内に収容するだけでよい。続いて、該蓋片１１５を該屈曲部１１４を支点とし、該右側壁１１６へ回転、結合し、該蓋片１１５の該フック１１７ａを嵌合ソケット１１７ｄの該嵌合溝１１７ｅ内に嵌合接続させ、該収容空間１１２の該開口を該蓋片１１５により密閉させ、該少なくとも１つの線材３を該収容空間１１２内に収容させ、ケーブル整理及び固定の目的を達成する。
【００２８】
交換を行うために、該ケーブル整理器１を該板材２から取り外す時、メンテナンススタッフは、該線材収納部材１１を掴持し、軸方向に抜き、該挿入接続柱１１８ｃの該係合溝１１８ｉ及び該接触端１１８ｊをそれぞれ該爪片１２３の各該鉤１２３ｂ及び該各該突起部１２３ａから離脱させ、該対翼片１１８ｄの該凸縁１１８ｇを該対第１位置決め溝１２４ａの底壁に突き合わせ、該線材収納部材１１を軸方向に該固定部材１２から離脱できなくさせ、該対翼片１１８ｄの各該位置決め片１１８ｅの下段を位置決めし、例えば、該第１位置決め溝１２４ａ内に弾性当接し（図４参照）、且つ該対補助翼片１１８ｋの補助位置決め片１１８ｍの上段を位置決めし、例えば、該対第２位置決め溝１２４ｂ内に弾性当接する（図５参照）。この時、該爪片１２３は、円柱状形態を回復し、従って、メンテナンススタッフは、該ケーブル整理器１の該爪片１２３をスムーズに該板材２の該板孔２１から引き離すことができる。
【００２９】
図１１に示すように、該ケーブル整理器の第２実施例の説明図であり、本実施例は、第１実施例に比較して同一の符号は、同一の部材を示すことに用い、本実施例と前記実施例は多くの共通の構成部材を有し、従って、両者の差異のみを以下に説明する。該固定部材１２が該板材２取り付けられて回転を発生する問題を回避するため、該固定部材１２底面に固定ほぞ１２５を凸設し、該板材２の該板孔２１は、ロック孔として造型され、該爪片１２３及び該固定ほぞ１２５を凸設させた後、該固定ほぞ１２５に該板孔２１と干渉を形成させ、該固定部材４２を該板材２上で回転しないようにさせる。
【００３０】
従って、本願の実施による増益の効果は、該ケーブル整理器及び該板材組の取り付け及び取り外しは同一方向であり、例えば、該板材の上方で進行し、故に一人で取り付け、取り外しの動作を行うことができ、操作時の利便性を増加することができ、また、該線材収納部材及び該固定部材が第１位置決め形態にある時、両者は、軸方向に離脱し、することができず、部材の散失を回避する。また、該線材収納部材及び該固定部材が第２位置決め形態にある時、該固定部材の該爪片は、拡張によって該板材上に強固に結合し、該ケーブル整理器を軸方向に該板材を離脱し、また、該挿入接続柱を該挿入接続孔内に強固に挿入接続することで該線材収納部材に振動の状況を発生させない。特に、線材収納部材の該嵌合構造の閉鎖及び開放によって、該線材収納部材に重複使用の機能を提供し、該少なくとも１つの線材を該収容空間内に整理し、脱出させず、同類の物品に前代未聞である。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１  ケーブル整理器
１１  洗剤収納部材
１１１  枠体
１１２  収容空間
１１３  左側壁
１１４  屈曲部
１１５  蓋片
１１６  右側壁
１１７  嵌合機構
１１７ａ  フック
１１７ｂ  ほぞフック
１１７ｃ  押圧部
１１７ｄ  嵌合ソケット
１１７ｅ  嵌合溝
１１７ｆ  嵌合ほぞ
１１７ｇ  上ガイド斜面
１１８  挿入接続部材
１１８ａ  ベース
１１８ｂ  接続柱
１１８ｃ  挿入接続柱
１１８ｄ  翼片
１１８ｅ  位置決め片
１１８ｆ  婁空溝
１１８ｇ  凸縁
１１８ｈ  下ガイド斜面
１１８ｉ  係合溝
１１８ｊ  接触端
１１８ｋ  補助翼片
１１８ｍ  補助位置決め片
１２  固定部材
１２１  凹溝
１２２  挿入接続孔
１２２ａ  傾斜口
１２３  爪片
１２３ａ  突起部
１２３ｂ  鉤
１２４ａ  第１位置決め溝
１２４ｂ  第２位置決め溝
１２５  固定ほぞ
２  板材
２１  板孔
３  線材
【図１】
0003210141.tif 000003
【図２】
0003210141.tif 000004
【図３】
0003210141.tif 000005
【図４】
0003210141.tif 000006
【図５】
0003210141.tif 000007
【図６】
0003210141.tif 000008
【図７】
0003210141.tif 000009
【図８】
0003210141.tif 000010
【図９】
0003210141.tif 000011
【図１０】
0003210141.tif 000012
【図１１】
0003210141.tif 000013